(57)【特許請求の範囲】
【請求項１】
器具を壁や天井に取り付けるために、前記壁や天井を形成するパネル材に穿設された透孔から前記パネル材の裏側へと通されて、前記パネル材の表側から器具又は当該器具の器具枠が固定されることで前記壁や天井に前記器具を取り付ける器具取付枠であって、
前記器具又は器具枠を固定するための少なくとも一対の固定部と、
前記器具が挿通可能な挿通孔が辺部に囲まれて形成された枠体と、
前記透孔を通過可能に前記枠体を折りたたむための折曲部と、を備え、
当該折曲部は、前記辺部に設けられて、前記辺部の一部を約１８０°回動させて前記枠体を折りたたむことで前記器具に接続される配線材が挿通可能な挿通スペースが前記枠体外縁と前記挿通孔内縁によって形成される位置に設けられていることを特徴とする器具取付枠
【請求項２】
前記枠体は、略矩形枠状に形成され、一対の対向する前記辺部には、少なくとも一対の前記固定部と、一対の前記折曲部が、それぞれ対向するように設けられていることを特徴とする請求項１に記載の器具取付枠。
【請求項３】
前記枠体は、前記辺部としての一対の対向する長辺部と一対の対向する短辺部とによって略矩形枠状に形成され、一対の対向する前記短辺部に、少なくとも一対の前記固定部及び一対の折曲部が、それぞれ対向するように設けられていることを特徴とする請求項２に記載の器具取付枠。
【請求項４】
請求項１または３のいずれか一項に記載の器具取付枠を用いて、器具を壁や天井に取り付ける器具取付方法であって、
前記壁や天井を形成するパネル材に穿設された透孔から、前記パネル材の表側に引き出された前記器具に接続される配線材を、前記器具取付枠の前記枠体の前記挿通孔に挿通し、当該挿通孔に前記配線材が挿通されたまま前記枠体を折りたたみ、
又は、前記枠体を折りたたむことで、前記枠体外縁と前記挿通孔内縁によって形成される前記挿通スペースに前記配線材を挿通し、
前記枠体が折りたたまれた状態の前記器具取付枠を、前記配線材が前記挿通スペースに挿通されたまま前記透孔から前記パネル材の裏側へと通し、
当該パネル材の裏側で前記枠体を展開し、前記パネル材の表側から前記一対の固定部に、器具又は当該器具の器具枠を固定することで、当該器具又は器具枠と、前記枠体とで前記パネル材を挟持するようにして、前記器具を前記壁や天井に取り付けることを特徴とする器具取付方法。
【発明の詳細な説明】
【技術分野】
【０００１】
本発明は、器具や器具枠を壁や天井を形成するパネル材の表側に取り付けるために、パネル材の裏側に配置される器具取付枠に関する。
【背景技術】
【０００２】
建物の壁や天井を形成するパネル材に例えば器具としての配線器具を取り付けるために、パネル材の裏側に配置される器具取付枠として、配線器具の取付装置（特許文献１）が提案されている。
【０００３】
特許文献１に記載の配線器具の取付装置は、矩形穴（挿通孔）及び縦溝（折曲部）が形成された補強板（器具取付枠）が、細溝で中央でコ字形に折畳まれ、薄壁（パネル材）に設けられた取付穴（透孔）から壁裏面に挿入され、拡開され、接着層によって仮止めされた後、配線器具（器具）が固着される。なお、特許文献１では省略されているが、この種の配線器具の取付装置では、補強板を壁裏面に挿入してから配線器具を固着するまでの間に、配線器具に接続される配線材を矩形穴に挿通し、取付穴から引き出して配線器具に配線する作業が行われる。
【先行技術文献】
【特許文献】
【０００４】
【特許文献１】実開昭５１−１５３４９１号公報
【発明の概要】
【発明が解決しようとする課題】
【０００５】
しかしながら、特許文献１に記載の補強板は、配線材を矩形穴に挿通した状態で折畳むことができない。
そのため、特許文献１に記載の補強板は、取付穴から挿入されて壁裏面で拡開された状態でないと配線材を矩形穴に挿通できず、作業者が取付穴から指を入れるようにして壁裏面で配線材を矩形穴に挿通しなければならないので、配線材が矩形孔に挿通しにくく、また、補強板を拡開する最中や、配線材を矩形孔に挿通する最中に、誤って補強板を壁裏面へ落下させてしまう恐れがあり、作業性が良くなかった。
【０００６】
本発明は、このような従来の問題点を解決するためになされたものであり、その目的は、器具を壁や天井を形成するパネル材に取り付ける際に、そのパネル材に設けた透孔から配線材の挿通作業を行わずに済み、パネル材の裏側に落としてしまうこともない、作業性に優れた器具取付枠を提供することにある。
【課題を解決するための手段】
【０００７】
請求項１に記載の発明に係る器具取付枠は、
器具を壁や天井に取り付けるために、前記壁や天井を形成するパネル材に穿設された透孔から前記パネル材の裏側へと通されて、前記パネル材の表側から器具又は当該器具の器具枠が固定されることで前記壁や天井に前記器具を取り付ける器具取付枠であって、前記器具又は器具枠を固定するための少なくとも一対の固定部と、前記器具が挿通可能な挿通孔が辺部に囲まれて形成された枠体と、前記透孔を通過可能に前記枠体を折りたたむための折曲部と、を備え、当該折曲部は、前記辺部に設けられて、前記辺部の一部を約１８０°回動させて前記枠体を折りたたむことで前記器具に接続される配線材が挿通可能な挿通スペースが前記枠体外縁と前記挿通孔内縁によって形成される位置に設けられていることをを特徴としている。
【０００８】
請求項２に記載の発明に係る器具取付枠は、請求項１に記載の器具取付体において、
前記枠体は、略矩形枠状に形成され、一対の対向する前記辺部には、少なくとも一対の前記固定部と、一対の前記折曲部が、それぞれ対向するように設けられていることを特徴としている。
【０００９】
請求項３に記載の発明に係る器具取付枠は、請求項２に記載の器具取付体において、
前記枠体は、前記辺部としての一対の対向する長辺部と一対の対向する短辺部とによって略矩形枠状に形成され、一対の対向する前記短辺部に、少なくとも一対の前記固定部及び一対の折曲部が、それぞれ対向するように設けられていることを特徴ととしている。
【００１０】
請求項４に記載の発明に係る器具取付方法は、請求項１または３のいずれか一項に記載の器具取付枠を用いて、器具を壁や天井に取り付ける器具取付方法であって、
前記壁や天井を形成するパネル材に穿設された透孔から、前記パネル材の表側に引き出された前記器具に接続される配線材を、前記器具取付枠の前記枠体の前記挿通孔に挿通し、当該挿通孔に前記配線材が挿通されたまま前記枠体を折りたたみ、又は、前記枠体を折りたたむことで、前記枠体外縁と前記挿通孔内縁によって形成される前記挿通スペースに前記配線材を挿通し、前記枠体が折りたたまれた状態の前記器具取付枠を、前記配線材が前記挿通スペースに挿通されたまま前記透孔から前記パネル材の裏側へと通し、当該パネル材の裏側で前記枠体を展開し、前記パネル材の表側から前記一対の固定部に、器具又は当該器具の器具枠を固定することで、当該器具又は器具枠と、前記枠体とで前記パネル材を挟持するようにして、前記器具を前記壁や天井に取り付けることを特徴としている。
【発明の効果】
【００１１】
この発明によれば、器具取付枠によって器具をパネル材に取り付ける際に、そのパネル材に設けた透孔から配線材の挿通作業を行わずに済み、パネル材の裏側に器具取付枠を落としてしまうこともなくなり、作業性を向上させることができる。
【図面の簡単な説明】
【００１２】
【図１】第１実施形態の器具取付枠の枠体が展開された状態を示す斜視図。
【図２】第１実施形態の器具取付枠の枠体が折りたたまれた状態及び折りたたまれる過程を示す斜視図
【図３】第１実施形態の器具取付枠の挿通孔に配線材が挿通された状態を示す図
【図４】第１実施形態の器具取付枠の枠体が折りたたまれ、配線材が挿通スペースに挿通された状態を示す図
【図５】第１実施形態の器具取付枠が透孔を通過させられようとしている状態を示す図
【図６】第１実施形態の器具取付枠の枠体が壁裏で展開される過程を示す図
【図７】第１実施形態の器具取付枠がパネル材に仮止めされ、固定部に器具枠が固定される状態を示す図
【図８】第１実施形態の器具取付枠でコンセントが壁表に取り付けられた状態を示す図
【図９】図８に記した切断線（一点鎖線）によって切断した断面図
【図１０】第２実施形態の器具取付枠の枠体が展開された状態を示す斜視図
【図１１】第２実施形態の器具取付枠の枠体が分解された状態を示す斜視図
【図１２】第２実施形態の器具取付枠の枠体が折りたたまれ、配線材が挿通スペースに挿通された状態を示す平面図及び正面図
【発明を実施するための形態】
【００１３】
（第１実施形態）
以下、本発明を具体化した器具取付枠の第１実施形態を図１〜図９に基づいて説明する。尚、以下の説明において「上」「下」「左」「右」「前」「後」は、図１に示す矢印Ｙの方向を上下方向とし、矢印Ｘの方向を左右方向、矢印Zの方向を前後方向とする。
【００１４】
本実施形態の器具取付枠は、壁としての二重壁を形成するパネル材に穿設された透孔から、そのパネル材の裏側である壁裏に配置され、器具としてのコンセントを保持する器具枠が表側である壁表から固定部に固定されることで、パネル材を器具枠とで挟持するようにして壁表にコンセントを取り付ける器具取付枠である。
【００１５】
まず、器具取付枠１について説明する。
器具固定枠１は合成樹脂によって一体成型され、図１及び図２に示すように、枠体１１は、辺部として、短い短辺部１１１，１１２と、長い長辺部１１３，１１４を備え、短辺部１１１，１１２が対をなし互いに平行に上下方向に対向し、長辺部１１３，１１４が対をなし互いに平行に左右方向に対向するよう形成され、短辺部１１１，１１２には、枠体１１を折りたたむための、対をなす折曲部１３が対向するように設けられている。枠体１１が、折りたたまれずに、図１に示すように展開された状態では、枠体１１は略矩形枠状をなすとともに、各辺部に囲まれて挿通孔１０が形成されている。
【００１６】
短辺部１１１，１１２には、それぞれの中央から挿通孔１０内に突出するように、一対の固定部として、ビス孔１２１を備えた一対のボス部１２が対向するように設けられている。各ボス部１２は、ナット体Ｎをボス部１２内に嵌入するためのナット挿入口１２２をそれぞれ備え、その各ナット挿入口１２２から内部にナット体Ｎが嵌入されている。嵌入された各ナット体Ｎは、螺子穴Ｎ１がビス孔１２１から前方に臨んでいる。
【００１７】
一対の折曲部１３は、短辺部１１１，１１２の、それぞれ前方から見て中央より右寄りの位置に、対向するように設けられている。各折曲部１３は、短辺部１１１（１１２）において前側に薄肉部１３１を残すようにスリット１３２を設けることで形成されている。各折曲部１３によって枠体１１は、長辺部１１４及び短辺部１１１，１１２の各折曲部１３より長辺部１１４側、すなわち前方からみて右側の部分が、各薄肉部１３１を支点にして長辺部１１３側へと約１８０°回動されることで、図２のように折りたたまれる。このように折りたたまれることで、挿通孔内縁のうち、長辺部１１３と、短辺部１１１，１１２の前方から見て折り返された長辺部１１４より左側の部分により形成される部分と、枠体外縁のうち長辺部１１４とによって囲まれるように挿通スペースＳが形成される。つまり、一対の折曲部１３は、短辺部１１１，１１２に設けられて、枠体１１を折りたたむことで枠体外縁と挿通孔内縁によって挿通スペースＳが形成される位置に設けられている。
【００１８】
また、短辺部１１１，１１２は、対をなす係止爪１４がそれぞれの前面から突出して設けられ、短辺部１１１，１１２のそれぞれに係止爪収容部１５が設けられている。各係止爪収容部１５は、短辺部１１１（１１２）の折曲部１３より長辺部１１４側の部分において、枠体１１が折りたたまれた際に係止爪１４と対向する位置にそれぞれ設けられ、図２のように、各係止爪１４は、折りたたんだ際に短辺部１１１，１１２の各折曲部１３より長辺部１１４側の部分と干渉しないように各係止爪収容部１５に収容される。
【００１９】
さらに、短辺部１１１，１１２それぞれの、枠体１１の幅方向である左右方向の中央にあたる位置には対となる位置決め溝１６が、それぞれ枠体外縁から凹設されている。長辺部１１３，１１４それぞれの、枠体１１の長手方向である上下方向の中央にあたる位置には、別の対となる位置決め溝１６が、それぞれ枠体外縁から凹設されている。
【００２０】
次に壁Ｗについて説明する。
図３に示すように、壁Ｗは、図示しない柱と、その柱の前後両面に立設される一対のパネル材Ｗ１，Ｗ２によって構成される建物内の空間を仕切るための二重壁、すなわち間仕切り壁である。各パネル材は石膏ボードで形成されている。一対のパネル材Ｗ１，Ｗ２の間、すなわちパネル材Ｗ１の裏側には中空の壁裏Ｒが形成されている。壁裏Ｒには配線材としてのケーブルＣが配線されている。なお、パネル材Ｗ１の任意の位置には、そのパネル材Ｗ１の表側、すなわち壁表から、壁裏Ｒに貫通する透孔Ｈが電動穿孔具（図示せず）によって略小判形状に穿設される。この透孔Ｈの大きさは、長手方向について、展開された状態の枠体１１の長手方向となる上下方向の長さより短く、幅方向について、展開された状態の枠体１１の幅方向となる左右方向の長さよりも短い。
【００２１】
次に上記構成の器具取付枠１を使用して、器具としてのコンセントＡを上記構成の壁Ｗに取り付ける方法について説明する。
【００２２】
まず、一方のパネル材Ｗ１に、壁表から壁裏Ｒへと電動穿孔具で略小判形状の透孔Ｈを穿設し、透孔Ｈから、壁裏Ｒに配線されていたコンセントＡに接続されるケーブルＣを壁表に引き出す。このとき、透孔Ｈの穿孔中心は、パネル材Ｗ１の表面に器具取付枠１をあてがい、対となる位置決め溝１６を直線で結ぶようにけがき、２直線の交点に特定することができる。次に図３に示すように、壁表で展開した状態の器具取付枠１の挿通孔１０に引き出したケーブルＣを先端から挿通する。
【００２３】
次に図４に示すように、ケーブルＣを、挿通孔１０に挿通したまま、その挿通孔１０内において、枠体１１が折りたたまれて挿通スペースＳが形成される長辺部１１３側に寄せ、枠体１１を折りたたむと、枠体１１は、ケーブルＣを挿通スペースＳに挿通された状態に折りたたまれる。この時、折りたたまれた状態の枠体１１の長手方向となる上下方向の長さは透孔Ｈの上下方向の長さより長く、幅方向となる左右方向の長さは、透孔Ｈの幅方向の長さよりも短い。つまり、器具取付枠１は枠体１１を折りたたむことで、透孔Ｈを長手方向に通過可能になる。
【００２４】
次に図５に示すように、ケーブルＣが挿通スペースＳに挿通された状態に折りたんだ枠体１１を、パネル材Ｗ１及び透孔Ｈに対して長手方向を傾けつつ、ケーブルＣに対してスライドさせ、枠体１１の上端から透孔Ｈ内に入れ壁裏Ｒへと通す。
【００２５】
次に図６に示すように、壁裏Ｒにおいて、折りたたまれていた枠体１１を、折りたたまれていた部分である、長辺部１１４及び短辺部１１１，１１２の各折曲部１３より長辺部１１４側の部分を、展開した状態に戻すべく回動させる。
【００２６】
次に図７に示すように、壁裏Ｒで枠体１１を展開した器具取付枠１を、パネル材Ｗ１の裏面に枠体１１の各辺部前面が当接し、一対のボス部１２及び係止爪１４が透孔Ｈ内に突出するように、壁裏Ｒにおいてパネル材Ｗ１側に引き寄せる。その際、一対の係止爪１４が互いに近づくように弾性変形し、その復元力で透孔Ｈの内縁に喰い込もうと上下方向に突っ張ることで、器具取付枠１をパネル材Ｗ１に仮止めした状態になる。
【００２７】
次に、図７〜図９に示すように、ケーブルＣが接続されたコンセントＡを保持する器具枠Ｆを、ビスＢを器具枠Ｆの固定孔Ｆ１を通しボス部１２内のナット体Ｎに螺入させて固定する。その際、コンセントＡの後ろ側の端部が、挿通孔１０内に挿通されることで、器具枠Ｆがパネル材Ｗ１の表面に当接し、その器具枠Ｆと枠体１１とでパネル材Ｗ１を挟持するようにして、コンセントＡがパネル材Ｗ１に取り付けられる。そして、パネル材Ｗ１の表面において、カバー（図示せず）を器具枠Ｆに取り付けることによって、器具枠Ｆ及び透孔Ｈを隠し、コンセントＡの壁Ｗへの取り付けが完了する。
【００２８】
なお、図６及び７において、特に図示しないが、壁裏Ｒにおいて折りたたまれていた枠体１１を展開する作業と、枠体１１を展開した器具取付枠１をパネル材Ｗ１の裏面に引き寄せ仮止めする作業は、作業者が壁表から透孔Ｈに指先をいれて行う。
【００２９】
第１実施形態の器具取付枠１は以下の効果を奏する。
・器具取付枠１は、ケーブルＣを挿通孔１０に挿通した状態で、透孔Ｈを通過可能に折りたたむことができるので、ケーブルＣを挿通孔１０に挿通する作業を、透孔Ｈから指先をいれて壁裏Ｒで行わずに済むため、ケーブルＣを挿通孔１０に挿通しやすく作業性に優れている。
【００３０】
・器具取付枠１は、壁裏Ｒで枠体１１を展開する作業を行う際に、すでに枠体１１にケーブルＣが挿通されているので、誤って作業者の手から離れてしまっても、壁表まで引き出されたケーブルＣに支えられ、壁裏Ｒに落下してしまわないので作業性に優れている。
【００３１】
・器具取付枠１は、挿通孔１０の全周を囲うように枠状に辺部を備えているので、丈夫である。
【００３２】
・器具取付枠１は、短辺部１１１，１１２それぞれに、一対のボス部１２と折曲部１３が、それぞれ対向するように設けられているので、器具枠Ｆをボス部１２にビスＢで固定する際に枠体１１に加わる力によって折りたたまれてしまうことがない。
【００３３】
・器具取付枠１は、一対の折曲部１３を短辺部１１１，１１２に設けられているので、枠体１１を幅方向に折りたため、壁裏Ｒが狭い場合でも容易に展開できる。
【００３４】
・器具取付枠１は、枠体１１が、前方、すなわち器具枠Ｆが取り付けられる側へ折りたたまれる。このため、特に折りたたみを規制する手段を形成しなくとも、パネル材Ｗ１の裏面に各辺部前面が当接させることで、同時に枠体１１の折りたたみが規制され、仮止めされた後、略矩形枠状を保つことができる。
【００３５】
・器具取付枠１は、係止爪１４によってパネル材Ｗ１に仮止めできるので、器具枠Ｆをボス部１２に取り付ける作業等が行いやすい。
【００３６】
・器具取付枠１は、位置決め溝１６によって正確に透孔Ｈの中心位置を定めることができる。
【００３７】
・器具取付枠１は、予め壁裏Ｒに配線ボックス等を配置しておく必要がなく、壁Ｗを設置した後で、パネル材Ｗ１の任意の位置に透孔Ｈを穿設し、コンセントＡを取り付けることができる。
【００３８】
（第２実施形態）
以下、本発明を具体化した器具取付枠の第２実施形態を図１０〜図１２に基づいて説明する。尚、第２実施形態の器具取付枠は第１実施形態の枠体１１及び折曲部１３を変更したのみの構成であるため、第１実施形態と同様の部分については同一の符号を付し、その詳細な説明を省略する。
【００３９】
図１０〜図１２に示すように、枠体２１は、一対の分割体２１ａ，２１ｂが連結されて形成される。分割体２１ａ，２１ｂはそれぞれ合成樹脂で一体成型され、分割体２１ａは、辺部として分割短辺部２１１ａ，２１２ａと、長辺部２１３とを備え、分割体２１ｂは、辺部として分割短辺部２１１ｂ，２１２ｂと、長辺部２１４とを備えている。
【００４０】
分割体２１ａ，２１ｂは、枠体２１を折りたたむだけでなく、分割体２１ａ，２１ｂを連結する機能も果たす一対の折曲部２２によって連結される。その一対の折曲部２２によって分割体２１ａ，２１ｂが連結されて形成された枠体２１は、図１０に示すように、展開された状態において、辺部としての、直線的に連続した分割短辺部２１１ａ，２１１ｂがなす短い短辺部２１１と、直線的に連続した分割短辺部２１２ａ，２１２ｂがなす短い短辺部２１２と、長い長辺部２１３，２１４とによって略矩形枠状に形成されている。短辺部２１１，２１２は対をなし互いに上下方向に対向するとともに互いに平行であり、長辺部２１３，２１４は対をなし互いに左右方向に対向するとともに互いに平行である。なお、一対の折曲部２２は、短辺部２１１，２１２の、それぞれ前方から見て中央より右寄りの位置に、対向するように設けられている。
【００４１】
第２実施形態において挿通孔１０は、第１実施形態と同様に、枠体２１が展開された状態で、各辺部に囲まれて形成される。
【００４２】
図１１に示すように、各折曲部２２は、分割体２１ａに形成された被連結部２２ａと、分割体２１ｂに形成された連結部２２ｂからなり、各被連結部２２ａが各連結部２２ｂと連結されることによって、分割体２１ａ，２１ｂは連結され、枠体２１が形成される。
【００４３】
各被連結部２２ａは、分割体２１ａの分割短辺部２１１ａ（２１２ａ）の端部に設けられ、その先端に円筒状に突出する被係合部２２１が設けられている。各連結部２２ｂは、分割体２１ｂの分割短辺部２１１ｂ（２１２ｂ）の端部に設けられ、その先端に設けられた、被係合部２２１の外周面にその周方向に沿って摺動可能に係合される係合部２２２からなる。
【００４４】
つまり、分割体２１ａ，２１ｂが連結された状態において、分割体２１ｂを、被係合部２２１を軸に、分割体２１ａに対し回動させることができ、枠体２１は、展開された状態から、分割体２１ａの長辺部２１３に、分割体２１ｂの長辺部２１４を近づけるように一対の折曲部２２を支点に後方へと約１８０°回動させて、図１２に示すように折りたたむことができる。
【００４５】
このように折りたたまれることで、第１実施形態と同様に、挿通孔内縁のうち、長辺部２１３と、分割短辺部２１１ａ，２１２ａ、枠体外縁のうち長辺部２１４とによって囲まれるように挿通スペースＳが形成される。つまり、一対の折曲部２２は、短辺部２１１，２１２に設けられて、枠体２１を折りたたむことで枠体外縁と挿通孔内縁によって挿通スペースＳが形成される位置に設けられている。
【００４６】
また、枠体２１には一対の回動規制部２３が設けられている。各回動規制部２３は、図１１に示すように、分割体２１ａに設けられた受け部２３ａと、分割体２１ｂに設けられた突部２３ｂからなる。各受け部２３ａには凹部２３１が設けられ、各突部２３ｂには先端が丸められた突起２３２が設けられている。図１０のように枠体２１が展開された状態で、各凹部２３１に各突起２３２が嵌って、分割２１ａ，２１ｂの回動を規制している。枠体２１を折りたたむ際は、各凹部２３１から各突起２３２を強制的に外して分割２１ａ，２１ｂを回動させる。
【００４７】
一対の固定部としてのボス部１２は、分割体２１ａの分割短辺部２１１ａ，２１２ａのそれぞれから挿通孔１０に突出するように、対向して設けられ、それぞれ内部にナット体Ｎが嵌入されている。
【００４８】
係止爪１４は、対をなす２つの係止爪１４が、枠体２１の長辺部２１３，２１４の前面において対向するように、二対設けられている。
【００４９】
上記構成の第２実施形態の器具取付枠２を用いて、コンセントＡが取り付けられる壁Ｗ及びその壁ＷにコンセントＡを取り付ける方法については、以下の点を除き第１実施形態と同様である。
・第１実施形態では、一対の係止爪１４が、透孔Ｈの内縁に食い込むように上下方向に突っ張り、器具取付枠１をパネル材Ｗ１に仮止めしたが、第２実施形態では、対をなす係止爪１４が、透孔Ｈの内縁に食い込むよう、それぞれ左右方向に突っ張り、器具取付枠２がパネル材Ｗ１に仮止めされるとともに、両方の分割体２１ａ，２１ｂに対向して対をなしている係止爪１４が、ともに透孔Ｈ内に配置されることで、分割体２１ａ，２１ｂの回動が完全に規制される。
【００５０】
第２実施形態の器具取付枠２の効果は以下の点を除き第１実施形態と同様の効果を奏する。
・第１実施形態では、枠体１１が、前方、すなわち器具枠Ｆが取り付けられる側へ折りたたまれるため、特に折りたたみを規制する手段を形成しなくとも、パネル材Ｗ１の裏面に各辺部前面が当接させることで、同時に枠体１１の折りたたみが規制され、仮止めされた後、略矩形枠状を保つことができたが、第２実施形態の器具取付枠２は、後方へ折りたたまれるため、回動規制部２３を設け、作業者の望まない分割体２１ａ，２１ｂの回動を規制している。さらに、対をなす係止爪１４を両方の分割体２１ａ，２１ｂに対向して設けることで、仮止めされるとともに、より確実に分割体２１ａ，２１ｂの回動を規制し、仮止めされた後、枠体２１が折りたたまれることを防ぐことができる。
【００５１】
第２実施形態の器具取付枠２はさらに以下の効果を奏する。
・係止爪１４が二対設けられているので、パネル材Ｗ１への器具取付枠２の仮止めがより確実になる。
【００５２】
各実施形態は以下の様に変更してもよい。
・各実施形態において挿通孔１０にケーブルＣを挿通した後に枠体１１（２１）を折りたたんだが、先に枠体１１（２１）を折りたたんで挿通スペースＳを形成した後、その挿通スペースＳにケーブルＣを挿通してもよい。
【００５３】
・各実施形態において挿通スペースＳの左右方向の幅は、ケーブルＣの幅狭方向がちょうど挿通可能な大きさに形成されているが、もっと大きくてもよい。具体的には、枠体１１（２１）を折りたたんだ状態で、その幅方向の長さが、透孔Ｈの幅方向の長さより短いという条件の内ならば、折曲部１３（２２）を、枠体１１（２１）を展開した状態でより外側、つまり前方からみてより右寄りの位置に設け、挿通スペースＳを大きく確保してもよい。
【００５４】
・各実施形態において、長辺部１１３（２１３）の挿通孔内縁や、長辺部１１４（２１４）の枠体外縁の一部を凹ませて、枠体１１（２１）を折りたたんだ際に、その枠体１１（２１）と、ケーブルＣとが干渉することを防いでも良い。
【００５５】
・各実施形態において、枠体１１（２１）を略矩形枠状に形成したが、円形をなす枠状に形成しても良い。
【００５６】
・各実施形態において、折曲部１３（２２）は枠体１１（２１）の短辺部１１１，１１２（２１１，２１２）それぞれに一対に設けられたが、長辺部１１３，１１４（２１３，２１４）に一対に設けられてもよい。その場合、枠体１１（２１）を折りたたんだの上下方向の長さが透孔Ｈの上下方向の長さより短くなるように折りたためる必要がある。
【００５７】
・各実施形態において、一対の折曲部１３（２２）は一対の短辺部１１１，１１２（２１１，２１２）に、対向するように設けられたが、対向しないように設けられてもよい。
【００５８】
・各実施形態において、折曲部１３（２２）は一対設けられたが、二対以上であってもよい。
【００５９】
・各実施形態において、固定部としてのボス部１２は一対であったが、固定部を複数対設けても良い。
【００６０】
・各実施形態において、パネル材Ｗ１はパネル材Ｗ２とともに間仕切り壁としての壁Ｗを形成するパネル材であったが、天井を形成するパネル材であってもよい。
【００６１】
・各実施形態において、器具としてのコンセントＡを器具枠Ｆに保持させて器具取付枠１（２）に固定したが、コンセントＡに替えて器具としてのスイッチや火災報知器を固定してもよい。また、その際、器具枠Ｆを省略し、器具を直接器具取付枠１（２）に固定してもよい。
【００６２】
・各実施形態において係止爪１４を、枠体１１の上下方向に一対、もしくは枠体２１の左右方向に二対設けたが、これに限らない。例えば、三対あってもよいし、３つのように奇数の係止爪１４を設けても良い。さらに、係止爪１４は省略しても良い。係止爪１４を省略した場合でも壁裏Ｒに器具取付枠１（２）が通された時にはケーブルＣがすでに挿通孔１０に挿通されているので、ケーブルＣの先端さえ透孔Ｈからパネル材Ｗ１の表に出したままなら器具取付枠１（２）が壁裏Ｒ内に落下してしまう恐れがない。ただし、第２実施形態においては、枠体２１の折りたたみ時の回動方向が後方なので、分割体２１ａ，２１ｂに、それぞれ少なくとも１つずつ、両方の分割体に亘って対となるように設け、枠体２１の回動を規制することが望ましい。
【００６３】
・各実施形態において、位置決め溝１６は省略しても良い
【００６４】
・各実施形態において、壁裏Ｒで折りたたまれていた枠体１１（２１）を展開する作業は、作業者が壁表から透孔Ｈに指先をいれて行ったが、枠体１１（２１）に、折りたたまれた状態で枠体１１（２１）を展開しようと弾発する、例えば、ばねのような弾発部材を設け、その弾発部材によって、枠体１１（２１）が、折りたたまれた状態から展開されるようにしてもよい。
【００６５】
・第２実施形態において、各折曲部２２を分割体２１ａ，２１ｂとは別体の蝶番部材によって設けてもよい。
【００６６】
・第２実施形態において、回動規制部２３を省略してもよい。
【符号の説明】
【００６７】
Ａ…器具としてのコンセント、Ｂ…ビス、Ｃ…配線材としてのケーブル、Ｆ…器具枠、Ｈ…透孔、Ｓ…挿通スペース、Ｗ…壁、Ｗ１…パネル材、１，２…器具取付枠、１０…挿通孔、１１，２１…枠体、１２…固定部としてのボス部、１３，２２…折曲部、１１１，１１２，２１１，２１２…辺部としての短辺部、１１３，１１４，２１３，２１４…辺部としての長辺部
【図１】
0005611860.tif 000002
【図２】
0005611860.tif 000003
【図３】
0005611860.tif 000004
【図４】
0005611860.tif 000005
【図５】
0005611860.tif 000006
【図６】
0005611860.tif 000007
【図７】
0005611860.tif 000008
【図８】
0005611860.tif 000009
【図９】
0005611860.tif 000010
【図１０】
0005611860.tif 000011
【図１１】
0005611860.tif 000012
【図１２】
0005611860.tif 000013